(57)【要約】      （修正有）【課題】過大な設計をすることなしに、流量の正確な計測を可能とする、導水管水位計室用の水面安定化装置を提供する。【解決手段】水位計室の下半部に位置するインバートと協働して、上流側導水管および下流側導水管の横断面と実質的に同一の横断面を形成する鋼材インバート１２が、水位計室の開水路部の上半部に配置される。好ましくは、鋼材インバート１２が、上方に湾曲した弧状板１４と、鋼材インバート１２を水位計室内の適所に取り付けるための取付板１６とを有する。【選択図】図１
2010190725.tif 000002
【特許請求の範囲】
【請求項１】
導水管水位計室に設置される水面安定化装置であって、
前記水位計室の下半部に位置するインバートと協働して、上流側導水管および下流側導水管の横断面と実質的に同一の横断面を形成する鋼材インバートが、前記水位計室の開水路部の上半部に配置されることを特徴とする装置。
【請求項２】
前記鋼材インバートが、上方に湾曲した弧状板と、鋼材インバートを水位計室内の適所に取り付けるための取付板とを有することを特徴とする請求項１に記載された装置。
【請求項３】
前記弧状板に開閉式の蓋が設けられていることを特徴とする請求項２に記載された装置。
【発明の詳細な説明】
【技術分野】
【０００１】
本発明は、導水管水位計室に設置される水面安定化装置に関する。
【背景技術】
【０００２】
地中に埋設される導水管の横断面は、円形である。一方、導水管の途中に設置される流量観測用の水位計室は、目視観測をする必要性のため、上方に開口した開水路形状を有している。
【発明の開示】
【発明が解決しようとする課題】
【０００３】
しかしながら、導水管を流れる流量が多くなると、導水管の部分と水位計の部分とで横断面形状が相違するため、流況が悪化して計測精度が低下するという不都合がある。図５を参照してより詳細に説明すると、水位計室内は、一定の水位までは、下半部に配置されたインバートにより導水管との横断面の変化が生じないように（すなわち、上流側の導水管の横断面と水位計室内の横断面が実質的に同じになるように）なっているが、水位が上昇するにつれて、横断面が変化する部分ｘの影響により、水流の抵抗が大きくなり、取水流と跳ね返り流が互いに相殺し合って、水面の乱れが生じ、これにより流量の正確な計測が困難になるという不都合がある。
【０００４】
このような不都合を解消するため、水位計室の横断面を大きくして上半部まで水位が上昇しないように設計したり、開水路の部分を長くしたりする等の対策がとられているが、このような対策をとると、流下能力に比較して過大な設計となるため、コスト高を招くという課題がある。
【０００５】
本発明は、このような状況に鑑みて開発されたものであって、過大な設計をすることなしに、流量の正確な計測を可能とする、導水管水位計室用の水面安定化装置を提供することを目的としている。
【課題を解決するための手段】
【０００６】
本願請求項１に記載された導水管水位計室用の水面安定化装置は、前記水位計室の下半部に位置するインバートと協働して、上流側導水管および下流側導水管の横断面と実質的に同一の横断面を形成する鋼材インバートが、前記水位計室の開水路部の上半部に配置されることを特徴とするものである。
【０００７】
本願請求項２に記載された導水管水位計室用の水面安定化装置は、前記請求項１の装置において、前記鋼材インバートが、上方に湾曲した弧状板と、鋼材インバートを水位計室内の適所に取り付けるための取付板とを有することを特徴とするものである。
【０００８】
本願請求項３に記載された導水管水位計室用の水面安定化装置は、前記請求項２の装置前記弧状板に開閉式の蓋が設けられていることを特徴とするものである。
【発明の効果】
【０００９】
本発明の装置によれば、水位計室の開水路部の横断面を導水管の横断面と実質的に同一にすることができるので、過大な設計をすることなしに、流量の正確な計測を行うことが可能になる。本発明の装置は、構造が簡単であるので、製造コストおよび維持管理コストを廉価に抑えることができる。また、前記弧状板に開閉式の蓋を設けることにより、本装置を設置したとしても、水位計室内を目視で観測することができる。
【発明を実施するための最良の形態】
【００１０】
次に図面を参照して、本発明の好ましい実施の形態に係る導水管水位計室用の水面安定化装置について詳細に説明する。図１は、本発明の好ましい実施の形態に係る導水管水位計室用の水面安定化装置を模式的に示した図である。
【００１１】
図１において全体として参照符号１０で示される本発明の好ましい実施の形態に係る導水管水位計室用の水面安定化装置は、鋼材インバート１２を備えている。
【００１２】
鋼材インバート１２は、上方に湾曲した弧状板１４と、弧状板１４の両縁に配置され、鋼材インバート１２を水位計室の適所に取り付けるための取付板１６とを有している。なお、取付板１６は、弧状板１４を補強する役目も果たす。また、弧状板１４と取付板１６は、所定厚さの鋼板で形成されている。
【００１３】
鋼材インバート１２は、水位計室内の開水路部の上半部に設置される。すなわち、鋼材インバート１２を水位計室内の上半部に設置することにより、鋼材インバート１２は、水位計室の下半部に位置するインバートと協働して、上流側導水管および下流側導水管の横断面と実質的に同一の横断面を形成するようになっている。
【００１４】
これにより、水位計室内の水位が上昇したとしても、水位計室内の横断面が導水管の横断面と実質的に同じであるため、水面の乱れの発生を回避することができ、水位計室内の流量の正確な計測をすることが可能になる。
【００１５】
好ましくは、鋼製インバート１２の弧状板１４には、水位計室の内部を観測することができるように、開閉式の蓋１４ａが設けられている。図３に示される蓋１４ａは、蝶番１４ｂを中心として蓋１４ａを回転させることにより開閉するようになっているが、スライド式等の他の形態の蓋にしてもよい。
【００１６】
本発明は、以上の発明の実施の形態に限定されることなく、特許請求の範囲に記載された発明の範囲内で、種々の変更が可能であり、それらも本発明の範囲内に包含されるものであることはいうまでもない。
【００１７】
例えば、図１および図３に示した鋼材インバート１２は単なる例示的なものにすぎず、導水管の横断面と同じ横断面にすることができるものであれば、図４（ａ）に示されるような、他の形態の鋼材インバート１２′を使用してもよい。また、図示した取付板の形態も一例にすぎず、鋼材インバートを堅固に取り付けることができるものであれば、他の形態を採用してもよい。さらに、図４（ｂ）のように、複数（図４（ｂ）では３基）の鋼材インバート１２をボルト／ナット等の締結具や溶接等で連結することによって大型の鋼材インバートを形成し、水位計室内に取り付けるようにしてもよい。このようにすることにより、マンホールが小さくて大型の鋼材インバートを設置することが難しい場合であっても容易に設置することができ、或いは、既存の水位計室に後付けで鋼材インバートを設置することも可能になる。
【図面の簡単な説明】
【００１８】
【図１】本発明の好ましい実施の形態に係る導水管水位計室用の水面安定化装置を模式的に示した図である。
【図２】水面安定化装置が設置された水位計室の横断面図である。
【図３】図３（ａ）は、鋼材インバートの正面図、図３（ｂ）は、図３（ａ）の線３ｂ−３ｂに沿って見た図、図３（ｃ）は、図３（ａ）の線３ｃ−３ｃに沿って見た図、図３（ｄ）は、鋼材インバートに設けられた蓋を開けた状態を示した図である。
【図４】鋼材インバートの変形形態を示した斜視図である。
【図５】従来の導水管水位計室を示した横断面図である。
【符号の説明】
【００１９】
１０  導水管水位計室用の水面安定化装置
１２、１２′  鋼材インバート
１４  弧状板
１４ａ  蓋
１４ｂ  蝶番
１６  取付板
【図１】
2010190725.tif 000003
【図２】
2010190725.tif 000004
【図３】
2010190725.tif 000005
【図４】
2010190725.tif 000006
【図５】
2010190725.tif 000007